(57)【要約】      （修正有）【課題】要介護者の依存的立場による自立性の欠如と、介助者の肉体的負担と、高密着度による双方の精神的負担の問題を解決する手段を提供する。【解決手段】要介護者５の仰臥位から座位への起き上がり動作時に、上体起こしタオル本体１を使用する。上体起こしタオル本体の両端のホールへ、介護者７、要介護者各々が手首を固定して生地を掴み互いに引き合う。タオルの強度を増すため、タオルの内枠にステッチミシンを施す。また、ホールの強度を増すため、縦向きに設置し周囲をバイアステープで補強する。【選択図】図７
2016073593.tif 000002
【特許請求の範囲】
【請求項１】
仰臥位から座位への上体起こし動作時に、専用のタオルを使用する事を特徴とする上体起こしタオル。
【請求項２】
タオルの強度を増すため、タオルの内枠にステッチミシンを施した事を特徴とする上体起こしタオル。
【請求項３】
要介護者と介助者の安全確保を目的とし、タオルへ左右対称で２カ所に手首を固定するホールを設けた事を特徴とする上体起こしタオル。
【請求項４】
タオルのホールに強度を増すため、ホールを縦向きに設けた事を特徴とする上体起こしタオル。
【請求項５】
タオルのホールの切り目の綻び防止と強度をますため、バイアステープを施した事を特徴とする上体起こしタオル。
【請求項６】
タオルの２カ所のホールのバイアステープの強度を増すため周囲にステッチミシンを施した事を特徴とする上体起こしタオル。
【発明の詳細な説明】
【技術分野】
【０００１】本発明は、仰臥位から座位への起き上がり動作に関するものである。
【背景技術】
【０００２】従来、介助者が要介護者の身体を抱え上体起こしを行う。
【先行技術】
【特許文献】
【０００３】
【特許文献１】  特開      −    号広報
【特許文献２】  特開      −    号広報
【発明の概要】
【発明が解決しようとする課題】
【０００４】そのため、次のような問題点があった。
（イ）要介護者の依存的立場による自立性の欠如。
（ロ）上体起こし動作時、要介護者と介助者の密着による精神的負担の発生。
（ハ）上体起こし始動時の介助者の重加重による肉体的負担の発生。
本発明は、これらの問題点を解決するためになされたものである。
【課題を解決するための手段】
【０００５】仰臥位から座位への起き上がり動作時に、起き上がりタオルを使用する。
上体起こしタオルの両端のホールへ各々が手首を固定して生地を掴み互いに引き合う。
タオルの強度を増すため、タオルの内枠にステッチミシンを施した。
ホールの強度を増すため、縦向きに設置し、周囲をバイアステープで補強した。
以上を特徴とする上体起こしタオルである。
【発明の効果】
【０００６】
2016073593.tif 000003
2016073593.tif 000004
【図面の簡単な説明】
【０００７】
【図１】本発明の上体起こしタオルの全体的構造図である。
【図２】本発明の上体起こしタオルの内枠の図である。
【図３】本発明の上体起こしタオルの手首を固定するためのホール図である。
【図４】上体起こしタオルを２枚使用しての、使用開始の全体図である。
【図５】上体起こしタオルを２枚使用しての、ホールへの手の通し方の図である。
【図６】上体起こしタオルを２枚使用しての、ホールへ手を通した後のタオルの掴み方の図である。
【図７】上体起こしタオルを２枚使用しての、上体起こし完了の図である。
【図８】上体起こしタオルを１枚使用しての、使用開始の全体図である。
【図９】上体起こしタオルを１枚使用しての、ホールへの手の通し方の図である。
【図１０】上体起こしタオルを１枚使用しての、ホールへ手を通した後のタオルの掴み方の図である。
【図１１】上体起こしタオルを１枚使用しての、タオルを掴んだ後、もう片方の手を遠位に掴んだ図である。
【図１２】上体起こしタオルを１枚使用しての、上体起こしの完了の図である。
【発明を実施するための形態】
【０００８】以下、本発明の構成と使用方法を詳細に説明する。
【０００９】以下の説明で、図を使用し、実施例１で本発明品のタオルを２枚使用しての上体起こし実施方法を、実施例２で本発明のタオルを１枚使用しての上体起こし実施方法を詳しく説明する。
【実施例１】
【００１０】図１に本発明のタオルの全体平面図を示す。
図１のタオルは図２のタオル本体と図３の２つのホールから構成される。
タオル本体のステッチミシンはタオルの強度を増すために施した。
持ち手ホールは切り目の綻び防止と強度を増すために、周囲をバイアステープで囲み、布の性質、強度を増すため縦向きに設けた。【００１１】以上のタオルは次のような手順で使用する。
１  要介護者は仰臥位で介助者は立位で図５の様に各自の両手をタオルの下側からホール    に通して、手首を固定し、タオルの上面に出す。
２  タオルの傾斜は図４の様に要介護者の下方向から介助者の上位方向へと傾斜している    。
３  要介護者と介助者は図６の様に各自上面に向いている両手を、ホールに手首を固定し    、掴み易い位置でタオルを掴む。
４  介助者は図４の様にスタンバイポーズとして片足を肩幅程度後方へ引いておく。
５  両者あらかじめ決めた掛け声で合図を行うと、要介護者が始動動作としての首上げの    タイミングと介助者がタオルを引くタイミングが一致する理由から、効率的に上体起    こしが実現する。
６  介助者は図８の介助者の様に、スタンバイポーズをした後ろ足の方へ体重移動させる    と、腕だけで引くよりも効率的に上体起こしが実現する。
７  図７の様に仰臥位から座位への上体起こしが完了する。
【実施例２】
【００１２】１  要介護者と介助者は図９の様に各々の片手をタオルの下側からホールに通して手首を    固定し、タオルの上面に出す。
２  タオルの傾斜は図８の様に要介護者の下方向から介助者の上位方向へと傾斜している    。
３  要介護者と介助者は図１０の様に各々上面に向いている片手を手首まで出し、ホール    に手首を固定し掴み易い位置でタオルを掴む。
４  要介護者と介助者はもう一方の掴んでいない方の手を図１１の様にホールに通した手    より遠位を掴む。
５  介助者は図８の様にスタンバイポーズとして片足を肩幅程度後方へ引いておく。
６  両者あらかじめ決めた掛け声で合図を行うと、要介護者が始動動作としての首上げの    タイミングと介助者がタオルを引くタイミングが一致する理由から、効率的に上体起    こしが実現する。
７  介助者は図１２の様にスタンバイポーズをした後ろ足の方へ体重移動させると腕だけ    で引くよりも効率的に上体起こしが実現する。
８  図１２の様に仰臥位から座位への上体起こしが完了する。
本発明は以上のような構成と使用方法である。
【符号の説明】
【００１３】  １  上体起こし名人タオル本体
２    ホール
３  バイアステープ
４  ステッチミシン
５  要介護者
６  要介護者の手
７  介助者
８  介助者の手
９  枕
１０  ベッド
１１  仰臥位
１２  座位
１３  立位
１４  要介護者の手首
１５  介助者の手首
１６  要介護者のホールに入れてない方の手
１７  介助者のホールにいれてない方の手
【図１】
2016073593.tif 000005
【図２】
2016073593.tif 000006
【図３】
2016073593.tif 000007
【図４】
2016073593.tif 000008
【図５】
2016073593.tif 000009
【図６】
2016073593.tif 000010
【図７】
2016073593.tif 000011
【図８】
2016073593.tif 000012
【図９】
2016073593.tif 000013
【図１０】
2016073593.tif 000014
【図１１】
2016073593.tif 000015
【図１２】
2016073593.tif 000016